(57)【特許請求の範囲】
【請求項１】
個人情報を含んだ画像を表示する画像表示体であって、
第一の支持体に剥離可能に支持され、光透過性を有し、且つ前記画像を受像可能に形成された受像層を含む下地層と、前記下地層上の複数の領域に形成され、所定の位置に配置された光源から前記各領域への照明光の照射に基づく回折光の全部または一部が空間上の所定領域に入射するように設定された格子間隔および格子角度を有する回折格子を含む画像とを備え、
前記回折格子は、互いに異なる回折格子角度を持った複数の回折格子要素で構成される回折格子要素群を含み、
前記複数の領域の各領域の境界線は、前記回折格子要素の境界線と異なり、
前記下地層上に形成された回折格子を含む画像を、個人認証媒体の基材上に形成させることにより、個人情報を含んだ秘匿情報に基づいた画像を表示できるようにしたことを特徴とする画像表示体。
【請求項２】
前記秘匿情報に基づいた画像は、二次元コードの画像であって、前記複数の領域の各領域に形成された回折格子を含む画像の大きさは、前記回折光の一部を目視した状態において、前記二次元コードの画像の全体の大きさより小さいことを特徴とする請求項１に記載の画像表示体。
【請求項３】
前記複数の領域の各領域の境界線は、前記二次元コードを構成する画素の境界線と異なることを特徴とする請求項２に記載の画像表示体。
【請求項４】
前記秘匿情報に基づいた画像は、前記二次元コードの画像と並んで配置された赤色、緑色、青色の３色で印字したカラー画像をさらに含むことを特徴とする請求項２または請求項３に記載の画像表示体。
【請求項５】
請求項１から請求項４の何れか一項に記載された個人情報を含んだ画像を表示する画像表示体の製造に使用するブランク媒体であって、
第二の支持体に剥離可能に支持され、前記画像を表示可能に形成された画像表示層を含む下地層と、その下地層上に形成され、所定の位置に配置された光源から前記各領域への照明光の照射に基づく回折光の全部または一部が空間上の所定領域に入射するように設定された格子間隔および格子角度を有する回折格子を含む画像とを備え、
前記回折格子は、互いに異なる回折格子角度を持った複数の回折格子要素群を含んでいることを特徴とするブランク媒体。
【請求項６】
請求項１から請求項４の何れか一項に対応する発明に記載された構成の画像表示体と、この画像表示体から転写された個人認証媒体の基材と、前記所定の位置に配置された光源と、この光源からの照明光の照射に基づく各領域からの回折光の全部または一部を読み取る読取手段と、この読取手段で読み取った前記各領域からの回折光の再生情報和の情報に基づいて真贋の判定を行う判定手段とを備えたことを特徴とする個別情報記録読取システム。
【発明の詳細な説明】
【技術分野】
【０００１】
本発明は、個人認証などに利用される画像表示体、ブランク媒体及び個別情報記録読取システムに係り、特に微小な回折格子要素を用いて個人情報を簡便に記録及び再生を行う画像表示体、ブランク媒体及び個別情報記録読取システムに関する。
【背景技術】
【０００２】
従来、平板状の基板表面に回折格子を有する微小な回折格子要素（ドット）を画素として複数個配置することで形成される回折格子パターンを有する情報記録媒体が開発され、例えばディスプレイなどに使用されてきている。
【０００３】
このうち、２光束干渉による回折格子パターンを有する情報記録媒体は、２光束干渉による微小な干渉縞（以下、回折格子と指称する）を、そのピッチ、方向及び光強度などを変化させて感光性フィルムに次々と露光するものが作製されている（特許文献１）。
【０００４】
この２光束干渉による回折格子パターンは、具体的には、複数の微小な回折格子要素に分割されていると共に、各回折格子要素の回折格子におけるピッチ、空間周波数、各回折格子要素の並べ方を適宜変化させ、さらに各回折格子要素毎に回折格子要素表面の回折格子の方向を変化させている。
【０００５】
また、回折格子パターンを持った他の情報記録媒体としては、例えば電子ビーム露光装置を用い、コンピュータの制御によって、平面状基板が載置されたＸＹステージを移動させ、基板表面に複数個の微小な回折格子要素を絵柄状に記録・配置することにより、所定の絵柄の回折格子パターンが形成された情報記録媒体も提案されている（特許文献２）。
【０００６】
ところで、以上のような回折格子を有する情報記録媒体の真贋の判定方法は、検証機を用いて、微小な回折格子要素の配列中に記録してあるパターン情報の部分へレーザー光を照射して回折光を取り出し、その取り出した回折光をセンサーで読み取って記録し、真贋の判定を行う方法がある（特許文献３）。
【０００７】
また、別の情報記録媒体の真贋判定方法としては、肉眼では観察できないパターン、もしくは識別できないパターンとして情報を記憶しておき、レーザー光による読取装置などを用いて、その情報を読み取って真贋を判定する方法も提案されている（特許文献４）。
【０００８】
さらに、別の情報記録媒体の真贋判定方法は、通常の照明光では情報を読み出すことができないが、特定の照明光源を用いて記録情報を読み取ることが可能な情報読出判定方法も提案されている（特許文献５）。
【先行技術文献】
【特許文献】
【０００９】
【特許文献１】特開平０５−７２４０６号公報
【特許文献２】米国特許第５０５８９９２号明細書
【特許文献３】特開平０５−５０７８８号公報
【特許文献４】特開平１０−１０９５６号公報
【特許文献５】特許第４７７０５６９号公報
【発明の概要】
【発明が解決しようとする課題】
【００１０】
しかしながら、以上のような真贋判定方法では、予め情報記録媒体に記録すべき情報を回折格子パターンとして記録しておく必要がある。そのため、異なる情報を記録する場合には、異なる回折格子パターンの原版を用意し、複数の転写箔を作成する必要があり、個別情報を記録するのが困難である。
【００１１】
本発明は、以上のような問題点を解決するためになされたものであって、異なる個別情報を記録する場合でも、予め情報記録媒体に回折格子パターンとして記録する必要がなく、その個別情報を簡便に記録可能であり、より一層の高度な偽造防止効果を発現でき、ディスプレイなどに用いて可視性の向上並びにデザインの自由度を向上させ得る画像表示体、ブランク媒体及び個別情報記録読取システムを提供することを目的とする。
【課題を解決するための手段】
【００１２】
上記課題を解決するために、請求項１に対応する発明は、個人情報を含んだ画像を表示する画像表示体であって、第一の支持体に剥離可能に支持され、光透過性を有し、且つ前記画像を受像可能に形成された受像層を含む下地層と、前記下地層上の複数の領域に形成され、所定の位置に配置された光源から前記各領域への照明光の照射に基づく回折光の全部または一部が空間上の所定領域に入射するように設定された格子間隔および格子角度を有する回折格子を含む画像とを備え、前記回折格子は、互いに異なる回折格子角度を持った複数の回折格子要素で構成される回折格子要素群を含み、前記複数の領域の各領域の境界線は、前記回折格子要素の境界線と異なり、前記下地層上に形成された回折格子を含む画像を、個人認証媒体の基材上に形成させることにより、個人情報を含んだ秘匿情報に基づいた画像を表示できるようにしたことを特徴とする画像表示体である。
【００１３】
請求項２に対応する発明としては、請求項１に対応する発明に記載する秘匿情報に基づいた画像は、二次元コードの画像であって、前記複数の領域の各領域に形成された回折格子を含む画像の大きさは、前記回折光の一部を目視した状態において、前記二次元コードの画像の全体の大きさより小さいことを特徴とする。
【００１４】
また、請求項３に対応する発明は、請求項２に対応する発明に記載する複数の領域の各領域の境界線は、前記二次元コードを構成する画素の境界線と異なることを特徴とする。
【００１５】
また、請求項４に対応する発明は、請求項２または請求項３に対応する発明に記載する秘匿情報に基づいた画像は、前記二次元コードの画像と並んで配置された赤色、緑色、青色の３色で印字したカラー画像をさらに含むことを特徴とする。
さらに、請求項５に対応する発明は、第二の支持体に剥離可能に支持され、前記画像を表示可能に形成された画像表示層を含む下地層と、その下地層上に形成され、所定の位置に配置された光源から前記各領域への照明光の照射に基づく回折光の全部または一部が空間上の所定領域に入射するように設定された格子間隔および格子角度を有する回折格子を含む画像とを備え、前記回折格子は、互いに異なる回折格子角度を持った複数の回折格子要素群を含んでいることを特徴とするブランク媒体である。
【００１６】
さらに、請求項６に対応する発明は、請求項１から請求項４の何れか一項に対応する発明に記載された構成の画像表示体と、この画像表示体から転写された個人認証媒体の基材と、前記所定の位置に配置された光源と、この光源からの照明光の照射に基づく各領域からの回折光の全部または一部を読み取る読取手段と、この読取手段で読み取った前記各領域からの回折光の再生情報和の情報に基づいて真贋の判定を行う判定手段とを備えた個別情報記録読取システムである。
【発明の効果】
【００１７】
請求項１に対応する発明によれば、異なる個別情報を記録する場合でも、予め情報記録媒体の回折格子パターンとして記録しておく必要がなく、個別情報を簡便に記録することが可能であると共に、通常の照明光では所定の個別情報を記録した領域を判別することが困難であり、特殊な条件の照明光源のみで情報を読み取ることが可能となり、改竄が困難で、より一層高度な偽造防止効果を発現でき、ディスプレイなどとしての可視性の向上、ならびにデザインの自由度を向上させることができる画像表示体を提供できる。
【００１８】
請求項１に対応する発明によれば、前記秘匿情報に基づいた画像を、二次元コードの画像とすることで、個別情報を簡便に記録し、読み取ることが可能となる。また、複数の領域の各領域の大きさは、二次元コードの全体の大きさより小さくすることで、特殊な条件の照明光源以外で照射すると、二次元コードからの回折光の一部が回折しなくなり、二次元コードの全体を観察できなくなり、個別情報を記録した領域を判別することがより困難にすることができる。
【００１９】
また、請求項３に対応する発明によれば、複数の領域の各領域の境界線を、前記二次元コードを構成する画素の境界線と異なるようにすることで、特殊な条件の照明光源以外で照射すると、二次元コードの全体を観察できなくなり、二次元コードと認識できなくなる。さらに、二次元コードを熱転写によって下地層上に転写する際に、厳密に位置合わせを行う必要がなく、個別情報を簡便に記録することが可能となる。
【００２０】
また、請求項５に対応する発明によれば、個別情報を簡便に記録読み取りが可能であるブランク媒体を提供できる。
【００２１】
さらに、請求項６に対応する発明によれば、異なる個別情報を記録する場合でも、予め情報記録媒体の回折格子パターンとして記録しておく必要がなく、個別情報を簡便に記録読み取りが可能であると共に、改竄が困難で、より一層高度な偽造防止効果を発現でき、ディスプレイなどとしての可視性の向上、ならびにデザインの自由度を向上させ得る個別情報記録読取システムを提供できる。
【図面の簡単な説明】
【００２２】
【図１】本発明に係るブランク媒体を概略的に示す断面図。
【図２】図１に示すブランク媒体の回折格子配置の一例を示す平面図。
【図３】図２に示すブランク媒体の回折格子配置の設定条件を説明する概略図。
【図４】ブランク媒体を含む転写リボンの概略構成を示す図。
【図５】ブランク媒体を用いて、画像表示体を作成しているときの一例を説明する概略断面図。
【図６】本発明に係る画像表示体を説明する図であって、詳細には秘匿情報に基づいた二次元コード画像の平面図。
【図７】本発明に係る画像表示体を説明する図であって、図２に示ブランク媒体と図６に示す二次元コード画像との関係を説明する平面図。
【図８】本発明に係る画像表示体を説明する図であって、詳細にはサーマルヘッドを用いた熱転写によって転写された二次元コード画像を示す平面図。
【図９】図８に示す転写された二次元コード画像を単一の照明光で観察した画像を示す平面図。
【図１０】図５に示す中間転写媒体に転写した画像表示体の一例を概略的に示す断面図。
【図１１】図１０に示す中間転写媒体を個人認証媒体に転写した一例を概略的に示す断面図。
【図１２】本発明に係る個別情報記録読取システムの一実施の形態を示す概略的な構成図。
【発明を実施するための形態】
【００２３】
以下、本発明の実施の形態について、図面を参照して説明する。なお、各図において、同一または類似した機能を発揮する構成要素には全て同一の参照符号を付し、相互に重複する説明は省略する。
【００２４】
また、以下に述べる実施の形態は、本発明の好適な具体例であり、技術的に好ましい種々の限定が付されているが、本発明の範囲は、以下の説明において特に本発明を限定する旨の記載がない限り、それらの実施の形態に限定されるものではない。
【００２５】
図１は本発明の一実施の形態に係るブランク媒体を概略的に説明する断面図である。
【００２６】
ブランク媒体１０は、画像表示体を形成するための媒体であって、例えば転写リボンの一部であって、支持体１１、剥離層１２、画像表示層１３、反射層１４及び接着層１５を含む構成である。
【００２７】
支持体１１は、例えば、樹脂フィルムやシートなどが用いられる。支持体１１は、例えば、ポリエチレンテレフタレートなどの耐熱性に優れた材料からなる。支持体１１の画像表示層１３と対峙する主面には、例えばフッ素樹脂又はシリコーン樹脂を含んだ離型層を設けてもよく、この場合には後記する剥離層１２は不要となる。
【００２８】
支持体１１と画像表示層１３が剥離層１２によって剥離可能に支持されている。剥離層１２は、光透過性を有しており、典型的には透明である。剥離層１２は、例えば熱可塑性樹脂からなる。
【００２９】
画像表示層１３は剥離層１２の上面に形成される。画像表示層１３は、表面に回折構造としてレリーフ構造の回折格子が設けられた透明層が施される。透明層の材料としては、光硬化性樹脂、熱硬化性樹脂及び熱可塑性樹脂などの樹脂を使用することができる。
【００３０】
反射層１４は、画像表示層１３のレリーフ構造の回折格子上に形成されている。反射層１４は省略することができるが、反射層１４を設けることにより、回折構造が表示する画像の視認性が向上する。
【００３１】
反射層１４としては、透明反射層又は不透明な金属反射層を使用することができる。反射層１４は、例えば、真空蒸着やスパッタリングなどの真空成膜法によって形成することができる。
【００３２】
透明反射層としては、例えば、画像表示層１３とは屈折率が異なる透明材料を使用することができる。透明材料を用いた透明反射層は、単層構造を有していてもよく、多層構造を有していてもよい。後者の多層構造を有する透明反射層は、繰り返し反射干渉を生じるように設計されていてもよい。この透明材料としては、硫化亜鉛及び二酸化チタンなどの透明誘電体を使用することができる。
【００３３】
透明反射層の厚さは、２０ｎｍ未満の金属層を使用してもよい。金属層の材料としては、例えばクロム、ニッケル、アルミニウム、鉄、チタン、銀、金及び銅などの単体金属又はそれらの合金を使用することができる。
【００３４】
一方、不透明な金属反射層としては、より厚いこと以外は透明反射層について上述したのと同様の金属層を使用することができる。
【００３５】
接着層１５は、反射層１４上に形成される。接着層１５は、サーマルヘッド加熱により支持体１１と剥離層１２の界面で剥離し、画像表示層１３、反射層１４とともに中間転写媒体に接着するもので、サーマルヘッドの加熱により溶融する材料である例えば熱可塑性樹脂などが用いられる。
【００３６】
図２は図１に示すブランク媒体１０の回折格子の配置例を説明する平面図である。
【００３７】
ブランク媒体１０は、回折格子要素２１、回折格子要素２２、回折格子要素２３をそれぞれ含み、互いに回折格子角度が異なる３種類の回折格子要素群によって構成される。
【００３８】
各回折格子要素２１〜２３の大きさは、Ｘサイズ２０３、Ｙサイズ２０４であり、画像表示体２０の全体の大きさは、Ｘサイズ２０１、Ｙサイズ２０２である。図２に示す画像表示体２０の例では、回折格子要素の大きさは、Ｘサイズ２０３＝Ｙサイズ２０４＝０．３ｍｍ、全体の大きさは、Ｘサイズ２０１＝Ｙサイズ２０２＝１．８ｍｍである。
【００３９】
図３は図２に示すブランク媒体１０の回折格子配置の設定条件を説明する概略図である。
【００４０】
ブランク媒体１０は、回折格子要素２１、回折格子要素２２、回折格子要素２３の格子角度から構成され、部分的に回折格子要素２１〜２３を選択して照射する場合、ブランク媒体１０に対して所要の距離を隔てて例えば歯車状にくり抜いた照明光源マスク３０を配置し、照明光源マスク３０を挟んでブランク媒体１０とは反対側から円形の照明光を照射する。
【００４１】
その結果、円形の照明光が照明光源マスク３０に形成された歯車形状のくり抜き部分を通って各回折格子要素２１〜２３に照射される。
【００４２】
すなわち、照明光源マスク３０を通過する選択照明光３１ａは、回折格子要素２１によって回折され、回折光３２ａとして所定領域３３の近傍に回折するように出力される。また、照明光源マスク３０の他のくり抜き部分を通る選択照明光３１ｂ，３１ｃは、対応する回折格子要素２２，２３によって回折され、回折光３２ｂ，３２ｃとして所定領域３３の近傍に回折するように出力される。
【００４３】
図４は本発明の一実施の形態に係るブランク媒体を含む転写リボン４０を示す概略図である。
【００４４】
転写リボン４０は、ブランク媒体１０を含み、赤用パネル４１、緑用パネル４２、青用パネル４３が順次繰り返しながら連続的に配置され、ロール状に巻き取り可能な状態で作製される。
【００４５】
４４は位置決めマークである。この位置決めマーク４４は、当該位置決めマーク４４のもとに各パネル４１〜４３の位置を調整し、必要な情報が的確に印字できるような役割を持っている。
【００４６】
赤用パネル４１は、全面に回折格子が配置されており、この赤用パネル４１からサーマルヘッドで転写した画像は、上方４５度方向から照明光を入射して正面付近で観察したとき、赤色で観察できるような回折格子間隔と格子角度に設定されている。同様に、緑用パネル４２、青用パネル４３においても、正面付近で観察したとき、それぞれ緑色と青色で観察できるように回折格子間隔と格子角度に設定されている。
【００４７】
このように転写リボン４０では、例えばカラー画像による赤、緑、青に色分解した画像を、赤用パネル４１、緑用パネル４２、青用パネル４３の順序に従ってそれぞれパネルを変えながら、同一箇所に転写することで、フルカラーの画像を印字することができる。
【００４８】
図５は画像表示体を作成している段階を示す図であって、具体的には図４に示す転写リボン４０を中間転写媒体５０に転写する一例を説明する断面図である。
【００４９】
中間転写媒体５０は、転写前支持体５１ａに剥離層５２、受像層５３の順序で積層された構成である。
【００５０】
転写前支持体５１ａには、例えば樹脂フィルムやシートなどが用いられる。支持体５１ａは、例えば、ポリエチレンテレフタレートなどの耐熱性に優れた材料からなる。支持体５１ａの受像層５３を支持している主面には、例えばフッ素樹脂又はシリコーン樹脂を含んだ離型層５２が施されてもよい。
【００５１】
受像層５３は、転写前支持体５１ａに施される剥離層５２によって剥離可能に支持されている。剥離層５２は、光透過性を有しており、典型的には透明である。剥離層５２は、例えば熱可塑性樹脂からなる。
【００５２】
転写リボン４０を中間転写媒体５０に転写する場合、転写リボン４０の接着層１５とロール状に巻かれた中間転写媒体５０の外側層となる受像層５３とが密着した状態に設定した後、転写リボン４０の接着層１５とは反対側の支持体１１側から、サーマルヘッド５４を加圧、加熱して転写しながら、ロールを回転することで画像の印字を行う。
【００５３】
よって、転写リボン４０の画像表示体２０のパネル４１〜４３を用いて、秘匿情報に基づいた二次元コード画像を中間転写媒体５０に熱転写よりすることで、情報を記録することができる。
【００５４】
図６は本発明に係る画像表示体を説明する図であって、詳細には秘匿情報に基づいた二次元コード画像の平面図である。ここで、二次元コード６０は、１０×１０ドットのＤａｔａＭａｔｒｉｘの規格に基づく二次元コードが用いられる。二次元コードには、規格化された二次元コードを用いてもよく、その他にＱＲコード（登録商標）、ＰＤＦ４１７、マイクロＰＤＦなどを用いてもよい。また、１次元のバーコードを用いてもよい。
【００５５】
規格化された一般的な二次元コードを用いる場合、エンコードやデコードには一般的な装置やプログラムを転用することができることから、比較的容易にシステムを構築することが可能である。また、規格化されていない特殊なフォーマットの二次元コードを用いてもよい。
【００５６】
このような特殊な二次元コードを用いた場合、エンコードやデコードに必要な装置やプログラムなどが一般に入手困難であり、解析することも不可能となり、より一層セキュリティ性を向上させることが可能となる。
【００５７】
二次元コード６０の構成ドットの大きさは、Ｘサイズ６０３、Ｙサイズ６０４であり、二次元コード６０の全体の大きさは、Ｘサイズ６０１、Ｙサイズ６０２である。図６に示す二次元コード６０の構成ドットの大きさの例は、Ｘサイズ６０３＝Ｙサイズ６０４＝０．１ｍｍ、全体の大きさは、Ｘサイズ６０１＝Ｙサイズ６０２＝１ｍｍである。
【００５８】
二次元コード６０の構成ドットの大きさＸＹの範囲としては、サーマルヘッド５４の解像度より大きくする必要があり、０．０２ｍｍから１ｍｍが適当である。ここで、サーマルヘッド５４の解像度より小さくすると、印字することが困難となる。また、０．０２ｍｍより小さくすると、回折光が弱くなり読取装置での検出が難しくなる。１ｍｍより大きい場合は、二次元コード６０として認識されてしまい、秘匿情報の記録には向かなくなる。
【００５９】
図７は画像表示体２０と図６に示す二次元コード画像との関係を示す平面図である。
【００６０】
ここで、画像表示体２０の回折格子要素の大きさを表すＸサイズ２０３、Ｙサイズ２０４は、二次元コード６０の全体の大きさを表すＸサイズ６０１、Ｙサイズ６０２より小さくする必要がある。つまり、二次元コード６０は複数の回折格子要素で構成しなければならない。
【００６１】
図８はサーマルヘッドを用いた熱転写によって転写された二次元コード画像を示す平面図であって、さらに詳しくは、図７で示す画像表示体２０と二次元コード６０の位置関係を有する状態にて中間転写媒体５０に転写させた状態を示している。
【００６２】
二次元コード印字画像８０は、画像表示体２０の回折格子要素２１、回折格子要素２２、回折格子要素２３の回折格子を含む、３種の回折格子角度をもった回折格子要素群で構成される。ここでは、画像表示体２０の回折格子要素と二次元コード６０との構成ドットの大きさが異なるので、画像表示体２０の回折格子要素の境界を観察することができる。
【００６３】
図９は画像表示体を説明する図であって、さらに詳しくは図８に示す転写された二次元コード画像を、単一の照明光で観察したときの画像を示す平面図である。回折格子要素２１の回折格子を含む、回折格子要素群のみが回折するような照明条件とすると、図９に示すような画像が観察できる。
【００６４】
従って、図９に示す画像の状態では、二次元コードと認識することが難しくなり、周囲に同様なパターンを配置することで、情報を記録した部分の隠蔽が容易となる。また、二次元コードと、赤色、緑色、青色の３色で印字したカラー画像を並べて配置し、この二次元コードの回折格子要素２１の回折光を観察できる照明光を、カラー画像を観察できる照明光の条件と同じにすることで、通常のカラー画像を観察する際には、二次元コードは観察されなくなる。
【００６５】
すなわち、二次元コードの全体を認識する場合には、二次元コード印字画像８０の回折格子要素２１、回折格子要素２２、回折格子要素２３の回折格子を含む、３種の回折格子角度をもった回折格子要素群すべてが回折するような照明光でなければならず、通常の環境下ではこのような特殊な照明光の条件で観察されることは殆ど無いといえる。
【００６６】
図１０は図５に示す中間転写媒体５０に転写した画像表示体の一例を概略的に示す断面図である。
【００６７】
すなわち、中間転写媒体５０は、転写後の支持体５１ｂ上に剥離層５２、受像層５３の順序で積層されているが、その受像層５３側に二次元コード印字画像８０が転写された状態となっている。
【００６８】
転写された二次元コード印字画像８０の剥離層１２、画像表示層１３、反射層１４は、接着層１５を介して中間転写媒体５０の受像層５３に接着されている。
【００６９】
図１１は図１０に示す中間転写媒体５０を、個人認証媒体８１に転写した一例を概略的に示す断面図である。個人認証媒体８１の被転写体８２に接着層８３を転写し、そこに中間転写媒体５０の二次元コード印字画像８０が転写している側を密着させ、加熱加圧して接着する。その後、中間転写媒体５０の支持体５１ｂを剥離する。
【００７０】
ここで、個人認証媒体８１としては、パスポート，査証、ＩＤカードなどの各種カードに適用でき、これらの個人認証媒体８１の顔写真の印字とともに個別情報を記録することが可能となる。
【００７１】
次に、以上のように作製された個人認証媒体８１から、記録情報を読み取る例について説明する。
【００７２】
図１２は本発明の一実施の形態に係る個別情報記録読取システムの構成を示す概略図である。
【００７３】
図５で示す情報記録手段により情報を二次元コード印字画像８０として記録した個人認証媒体８１に対して、所要の距離を隔てて例えば歯車形状にくり抜いた照明光源マスク３０を配置し、照明光源マスク３０を挟んで個人認証媒体８１とは反対側から円形の照明光を照射することにより、部分的に選択した照明光を照射する。 
その結果、選択照明光３１ａは、回折格子要素２１により回折され、回折光３２ａとして所定領域３３の近傍に回折される。 
また、回折格子要素２２からの回折光３２ｂも所定領域３３の近傍に回折され、同様に回折格子要素２３からの回折光３２ｃも所定領域３３の近傍に回折される。 
さらに、所定領域３３の近傍に撮像素子８５を配置すれば、回折格子要素２１〜２３群から所定領域３３の近傍に回折してくる回折光を撮像し、回折光の再生情報和となる画像から、個別情報を読み取ることができる。 
すなわち、回折格子要素２１〜２３群に対して、中空である円形の照明光を照射する際に、照明光源マスク３０を介して部分的に選択した円形状となる照明光を照射するようにしたことで、回折格子要素群から選択的に回折光を再生することが可能となり、照明光が円形の照明光以外の領域から照射された場合には、正確な再生情報和は得られない。 
また、中空となる円形の照明光を照射する際に、照明光源マスク３０を通過する円形の照明光に設け、部分的に選択した照明光がある範囲の面積を持った面光源であるために、回折格子から回折する光は単一方向に回折するのではなくある範囲をもって回折するため、基板表面の表面平滑性が悪い場合でも、所定領域に回折光が到達することになり、回折光を読取ることが可能となる。 
従って、以上のような個別情報記録読取システムによれば、二次元コードとして記録された個別情報を、確実に読み取ることが可能となる。これにより、個別情報が簡便に記録することが可能であると共に、通常の照明光では所定の個別情報を記録した領域を判別することが困難であり、特殊な条件の照明光源のみで情報を読み取ることができる。
【００７４】
その結果、改竄が困難となり、より一層高度な偽造防止効果を発現でき、ディスプレイなどに利用して可視性の向上、ならびにデザインの自由度を向上させ得る個別情報記録読取システムを提供できる。
【００７５】
その他、本発明は、上記実施の形態に限定されるものでなく、その要旨を逸脱しない範囲で種々変形して実施できる。
【００７６】
さらに、上記実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【符号の説明】
【００７７】
１０…ブランク媒体、１１…支持体、１２…剥離層、１３…画像表示層、１４…反射層、１５…接着層、２０…画像表示体、２１、２２、２３…回折格子要素、２０１、２０３…Ｘサイズ、２０２、２０４…Ｙサイズ、３０…照明光源マスク、３１ａ，３１ｂ，３１ｃ…選択照明光、３２ａ，３２ｂ，３２ｃ…回折光、３３…所定領域、４０…転写リボン、４１…赤用パネル、４２…緑用パネル、４３…青用パネル、４４…位置決めマーク、５０…中間転写媒体、５１ａ…転写前の支持体、５１ｂ…転写後の支持体、５２…剥離層、５３…受像層、５４…サーマルヘッド、６０…二次元コード、６０１、６０３…Ｘサイズ、６０２、６０４…Ｙサイズ、８０…二次元コード印字画像、８１…個人認証媒体、８２…被転写体、８３…接着層、８５…撮像素子。
【図１】
0005942518.tif 000002
【図２】
0005942518.tif 000003
【図３】
0005942518.tif 000004
【図４】
0005942518.tif 000005
【図５】
0005942518.tif 000006
【図６】
0005942518.tif 000007
【図７】
0005942518.tif 000008
【図８】
0005942518.tif 000009
【図９】
0005942518.tif 000010
【図１０】
0005942518.tif 000011
【図１１】
0005942518.tif 000012
【図１２】
0005942518.tif 000013